(57)【要約】【課題】キーボードランプ信号命令を利用しコンピュータ周辺を制御する装置を提供する。【解決手段】本考案は、キーボードランプ信号命令を利用しコンピュータ周辺を制御する装置であり、それは、キーボードランプ信号命令を利用しコンピュータ周辺を制御する制御ボックスが、雄プラグを利用しホストコンピュータに接続するとともに、インターフェイスにキーボードを挿入させるものであり、前記制御ボックスが、キーボードインターフェイスランプ信号命令をフェッチすると共に、スタート信号を出力するマイクロ制御ユニット、及び前記マイクロ制御ユニットの出力信号を受信し作動するコンピュータ周辺装置を含むものである。【選択図】図３
0003129025.tif 000002
【実用新案登録請求の範囲】
【請求項１】
キーボードインターフェイスランプ信号命令をフェッチすると共に、信号を出力するマイクロ制御ユニット、及び
前記マイクロ制御ユニットの出力信号を受信し作動するコンピュータ周辺装置
を含むキーボードランプ信号命令を利用しコンピュータ周辺を制御する装置。
【請求項２】
前記マイクロ制御ユニット及びコンピュータ周辺装置の間に更に接続インターフェイスを設置し、前記コンピュータ周辺装置を前記接続インターフェイスに挿入させ、前記マイクロ制御ユニットと電気的接続を形成する請求項１記載のキーボードランプ信号命令を利用しコンピュータ周辺を制御する装置。
【請求項３】
前記マイクロ制御ユニットが、キーボードの制御ユニット内に内蔵できる請求項１記載のキーボードランプ信号命令を利用しコンピュータ周辺を制御する装置。
【請求項４】
前記マイクロ制御ユニット及びキーボードインターフェイスランプ信号命令が、更にデータスイッチを設置してなる請求項１記載のキーボードランプ信号命令を利用しコンピュータ周辺を制御する装置。
【請求項５】
前記マイクロ制御ユニットがキーボード制御信号を自動送信できる請求項１記載のキーボードランプ信号命令を利用しコンピュータ周辺を制御する装置。
【請求項６】
前記コンピュータ周辺装置が信号スイッチ、小型ランプ、小型ファン、小型液晶ディスプレイの中の１つである請求項１記載のキーボードランプ信号命令を利用しコンピュータ周辺を制御する装置。
【考案の詳細な説明】
【技術分野】
【０００１】
本考案は、キーボードランプ信号命令を利用しコンピュータ周辺を制御する装置に関し、特に、その制御ランプ信号の電磁波による信号を利用しコンピュータ周辺装置を制御使用し、マイクロ制御ユニット(MCU)を利用しコンピュータ制御キーボードランプ信号命令をフェッチすると共に、コンピュータ周辺装置動作を設定する装置に関する。
【背景技術】
【０００２】
キーボードおよびマウスは、コンピュータ入力周辺装置において不可欠な二大装置であるが、キーボードの一般的な作用は文字、数字或いは記号を入力するのみで、他に活用がない。本考案はキーボードランプ信号命令をコンピュータ周辺製品を制御することに用い、キーボードに新たな機能を増やし、キーボード製品販売に新しいセールスポイントを増加させる。
【考案の開示】
【考案が解決しようとする課題】
【０００３】
上記の問題を解決するため、本考案は、キーボードランプ信号を利用しコンピューター周辺を制御する装置であり、本考案は、キーボードが文字、数字或いは記号を入力することに用いることができる以外に、その制御ランプ信号を利用しコンピュータ周辺装置を制御使用し、マイクロ制御ユニット（MCU）を運用し、コンピュータ制御キーボードランプ信号命令をフェッチすると共に、どのランプ信号命令がコンピュータ周辺装置をオン、オフとする信号になるかを設定するキーボードランプ信号命令を利用しコンピュータ周辺を制御する装置を提供することを目的とする。
【課題を解決するための手段】
【０００４】
上記目的を達成する為、本考案が提供するキーボードランプ信号命令を利用しコンピュータ周辺を制御する装置は、キーボードランプ信号命令を利用しコンピュータ周辺を制御する制御ボックスが、雄プラグを利用しホストコンピュータに接続するとともに、インターフェイスにキーボードを挿入させ、前記制御ボックスは、
キーボードインターフェイスのランプ信号命令をフェッチすると共に、スタート信号を出力するマイクロ制御ユニット、及び
前記マイクロ制御ユニットの出力信号を受信し作動するコンピュータ周辺装置を含むものである。
【考案の効果】
【０００５】
本考案が提供するキーボードランプ信号命令を利用しコンピュータ周辺を制御する装置は、その制御ランプ信号を利用しコンピュータ周辺装置を制御使用し、マイクロ制御ユニット（MCU）を運用し、コンピュータ制御キーボードランプ信号命令をフェッチすると共に、どのランプ信号命令がコンピュータ周辺装置をオン、オフとする信号になるかを設定し、一般市販製品には見られない極めて高い商業価値を持たせることができる。
【考案を実施するための最良の形態】
【０００６】
図１は、本考案のキーボードランプ信号命令を利用しコンピュータ周辺を制御する装置の第１機能を示すブロック図である。本考案のキーボードランプ信号命令を利用しコンピュータ周辺を制御する制御ボックス２は、雄プラグ（図示せず）を利用しホストコンピュータ１に接続し、且つインターフェイスプラグ（図示せず）にキーボード３を挿入させる。従って、制御ボックス２内部に設置するマイクロ制御ユニット（MCU）２１は、キーボードインターフェイスランプ信号命令２３をフェッチすると共に、スタート信号を出力し、コンピュータ周辺装置（例えば：図２が開示している小型ランプ５）から前記マイクロ制御ユニット２１の出力信号を受信し作動できる。前記制御ボックス２とコンピュータ周辺装置の間には、更に接続インターフェイス２２が設置してあり、前記コンピュータ周辺装置を前記接続インターフェイス２２に挿入させ、制御ボックス２内のマイクロ制御ユニット２１との電気的接続を形成する。当然本分野の技術者は、接続インターフェイス２２は設置しなくてもよいことを熟知しており、コンピュータ周辺装置と制御ボックス２を直接に電気的に接続しても、同一の目的を達成できる。一般的に、キーボードインターフェイスランプ信号命令２３は、キャプスロック（Caps  Lock）、ナンバーロック（Num  Lock）、スクロールロック（Scroll  Lock）の三種のランプ信号を含んでいる。コンピュータ制御キーボードランプ信号命令はEDとなり、その後方の数値と合わせることにより（Caps  Lock）、（Num  Lock）、（Scroll  Lock）の三種のランプ信号を制御する。例えば、コンピュータ制御キーボードランプ信号命令が『ED  01』であるとき、ランプ信号（Scroll  Lock）が点灯されたことを表す。コンピュータ制御キーボードランプ信号命令が『ED  05』であるとき、ランプ信号（Scroll  Lock）及び（Caps  Lock）が同時に点灯されたことを表す。コンピュータ制御キーボードランプ信号命令が『ED  00』であるとき、ランプ信号が全て消えたことを表す。
【０００７】
上記マイクロ制御ユニット２１が、キーボードの制御内（図中未表示）に内臓でき、製造コストを節約し、また外接式制御ボックス２の設置を少なくできることが、最良の実施形態である。
【０００８】
図２に示されるように、上記ランプ信号命令の制御を利用し、本考案は、前記コンピュータ周辺装置をオン、オフとする動作をさせることができる。このコンピュータ周辺装置と接続するアーキテクチャは、構造が簡単で体積が比較的小さい長所を具えることにより（スイッチ装置をコンピュータ周辺の内部に設置する必要がないからである）、相対して製品自身の販売価格も比較的安くなり、前記コンピュータ周辺装置は、信号スイッチ、小型ランプ、小型ファン、小型液晶ディスプレイ中の１つであることができる。
【０００９】
図３は、本考案のキーボードランプ信号命令を利用しコンピュータ周辺機器を制御する装置の第２機能を示すブロック図であり、図１の記載と異なる所は、マイクロ制御ユニット２１において信号上にデータスイッチ４を加え、前記データスイッチ４は、データ信号のバッファーとすることができ、膨大なデータ流量を処理することに用い、このアーキテクチャは、図１と比べて明らかに更に完備されたものである。
【００１０】
図４，図５に示されるように、図３の好適な回路アーキテクチャを利用し、膨大なデータ流量を処理し、例えば、コンピュータースクリーン８上でマウスポインタ８２を使用し1枚の図面８３形式（*.jpg）のファイル（図面の大きさは数百KB〜数MBまでそれぞれ有り、膨大なデータ流量として捉えることができる）を牽引し、アプリケーションプログラム（Application  Program＝AP）ウィンドウ８１中に進入させ、前記図面８３は、キーボード信号および本考案の制御ボックス２を通して、小型液晶ディスプレイ７上に表示させることができる。
【００１１】
上記図1から図５の説明により、本考案のキーボード信号命令を利用しコンピューター周辺を制御する装置を理解することができ、主要な目的は、その制御ランプ信号を利用しコンピュータ周辺装置を制御使用し、マイクロ制御ユニット（MCU）を運用し、コンピュータ制御キーボードランプ信号命令をフェッチすると共に、どのランプ信号命令がコンピュータ周辺装置をオン、オフとする信号になるかを設定し、一般市販製品には見られない極めて高い商業価値を持たせることにある。
【００１２】
なお、本考案では好ましい実施例を前述の通り開示したが、これらは決して本考案に限定するものではなく、前記技術を熟知する者なら誰でも、本考案の精神と領域を脱しない均等の範囲内で各種の変動や潤色を加えることができることは勿論である。
【図面の簡単な説明】
【００１３】
【図１】本考案のキーボードランプ信号命令を利用しコンピュータ周辺機器を制御する装置の第１機能を示すブロック図である。
【図２】図１の応用実施例図である。
【図３】本考案のキーボードランプ信号命令を利用しコンピュータ周辺機器を制御する装置の第２機能を示すブロック図である。
【図４】図３の応用実施例図である。
【図５】マウスを利用しアプリケーションプログラムを開きパソコン周辺の画面を起動する説明図である。
【符号の説明】
【００１４】
１ ホストコンピュータ
２ 制御ボックス
２１ マイクロ制御ユニット
２２ 接続インターフェイス
２３ キーボードインターフェイスランプ信号命令
３ キーボード
４ データスイッチ
５ 小型ランプ
６ 小型液晶ディスプレイ
７ マウス
８ コンピュータスクリーン
８１ アプリケーションプログラムウィンドウ
８２ マウスポインタ
８３ 図面
【図１】
0003129025.tif 000003
【図２】
0003129025.tif 000004
【図３】
0003129025.tif 000005
【図４】
0003129025.tif 000006
【図５】
0003129025.tif 000007